(57)【要約】【課題】通信装置において、伝言ボックス機能とワンタッチダイヤル機能とプライベート電話帳機能とを有し、しかもそれらを使用するためのキーを削減できるようにする。【解決手段】伝言ボックス機能を使用するためのキーとワンタッチダイヤル機能を使用するためのキーとプライベート電話帳機能を使用するためのキーとを、ボックス指定キー２３により共用する。【選択図】図２
2006197644.tif 000002
【特許請求の範囲】
【請求項１】
特定個人用の情報が格納される個人情報記憶手段を呼び出す第一機能と、使用者による１回のキー操作により予め登録されている電話番号を呼び出す第二機能とを有する通信装置であって、
前記第一機能と前記第二機能は、同じ操作キーを操作することにより実行され、
前記操作キーを操作する時点における該通信装置の状態を判断する判断手段と、
前記判断手段により判断された該通信装置の状態に応じて、いずれかの機能を選択的に実行させる制御手段を備えることを特徴とする通信装置。
【請求項２】
前記判断手段は、通信回線が閉結された状態であるか否かを判断し、
前記制御手段は、前記判断手段により前記通信回線が閉結された状態であると判断した場合には、前記第一機能を実行し、前記判断手段により前記通信回線が開放された状態であると判断した場合には、前記第二機能を実行することを特徴とする請求項１に記載の通信装置。
【発明の詳細な説明】
【技術分野】
【０００１】
本発明は、通信回線を介して入力可能な特定個人用の情報を記憶する個人情報記憶手段を有する通信装置に関するものである。
【背景技術】
【０００２】
たとえばファクシミリ装置においては、通信回線を介して入力された特定個人用の情報を個人情報記憶手段に格納する、いわゆる伝言ボックス機能を備えたものが存在する。個人情報記憶手段は、たとえばＲＡＭの複数のメモリ領域により実現されており、これらのメモリ領域は、それぞれが異なる特定個人に割当てられ、留守モードのときに、伝言ボックスの番号を指定して他のファクシミリ装置などから電話回線を通じてファクシミリ送信あるいは音声送信を行うことにより、それらのファクシミリデータあるいは音声データが対応するメモリ領域に記憶される。そして、自己宛の伝言内容を知りたい特定個人は、いわゆる暗証番号の入力を含む所定の操作により、ファクシミリ装置を直接操作して自己の伝言ボックスの内容を取り出せるばかりでなく、他のファクシミリ装置などから電話回線を介して取り出すこともできる。すなわち、自己の伝言ボックスに対応するメモリ領域に記憶されたデータがファクシミリデータの場合、それを記録用紙に印刷させ、また自己の伝言ボックスに対応するメモリ領域に記憶されたデータが音声データの場合、それをスピーカから音声として再生させることができる。
【０００３】
また、使用者による１回のキー操作により予め登録されている電話番号に自動的に発呼する、いわゆるワンタッチダイヤル機能を備えたファクシミリ装置も存在する。このワンタッチダイヤル機能によれば、予め登録しておいた所望の電話番号に対応する１個のキーを１回押下するだけで自動的に発呼されるので、たいへん便利である。なお、本明細書においては、いわゆるファクシミリ番号も含めて電話番号という。
【０００４】
更に、予め登録されている複数の電話番号のうち個人情報記憶手段に対応付けてグループ化された電話番号またはそれに対応する相手先名称のみを表示させ、それらのうち使用者により選択された電話番号に自動的に発呼する、いわゆるプライベート電話帳機能を備えたファクシミリ装置も存在する。このプライベート電話帳機能によれば、短縮ダイヤルなどのために多数の電話番号が登録されている場合、伝言ボックスが割り当てられた各使用者毎にそれらをグループ化でき、伝言ボックスが割り当てられた各使用者にとっては、自己に必要な電話番号のみが登録された電話帳として利用できることから、たいへん便利である。
【特許文献１】特開平４−３３５７５０号公報
【特許文献２】特開平６−１３３０８９号公報
【発明の開示】
【発明が解決しようとする課題】
【０００５】
しかしながら、上記従来のファクシミリ装置では、伝言ボックス機能を使用するためのキーと、ワンタッチダイヤル機能を使用するためのキーと、プライベート電話帳機能を使用するためのキーとが、各々別個に設けられていたので、キーの設置数が増加してしまうという課題があった。すなわち、キーの設置数が増加すれば、部品コストおよび組立コストの増加により生産コストが増加する。また、キーの設置スペースの確保のために装置の小型化が阻害される。更に、キーが多いと使用者に心理的な圧迫感を与え、操作に慣れるのに時間がかかる。
【０００６】
本発明は、上記の点に鑑みて提案されたものであって、伝言ボックス機能とワンタッチダイヤル機能とプライベート電話帳機能とを有し、しかもそれらを使用するためのキーを削減できる通信装置を提供することを目的としている。
【課題を解決するための手段】
【０００７】
上記目的を達成するため、請求項１に記載した通信装置は、特定個人用の情報が格納される個人情報記憶手段を呼び出す第一機能と、使用者による１回のキー操作により予め登録されている電話番号を呼び出す第二機能とを有する通信装置であって、前記第一機能と前記第二機能は、同じ操作キーを操作することにより実行され、前記操作キーを操作する時点における該通信装置の状態を判断する判断手段と、前記判断手段により判断された該通信装置の状態に応じて、いずれかの機能を選択的に実行させる制御手段を備えることを特徴とする。
【０００８】
そして、請求項２に記載した通信装置は、請求項１に記載の通信装置であって、前記判断手段は、通信回線が閉結された状態であるか否かを判断し、前記制御手段は、前記判断手段により前記通信回線が閉結された状態であると判断した場合には、前記第一機能を実行し、前記判断手段により前記通信回線が開放された状態であると判断した場合には、前記第二機能を実行することを特徴とする。
【０００９】
通信回線は、公衆回線であっても専用回線であってもよく、有線であっても無線であってもよい。
【００１０】
個人情報記憶手段としては、ＲＡＭなどの揮発性メモリやＥＥＰＲＯＭなどの書換え可能な不揮発性メモリなどを用いることができるが、これに限らず、たとえばハードディスク装置などを用いてもよい。なお、揮発性メモリを用いる場合は、電池などにより電源バックアップを施すのが好ましい。
【００１１】
個人情報記憶手段の設置数は任意であるが、複数の場合は、いずれの個人情報記憶手段に対して入出力を行うのかを指定するための指定情報を入力する必要がある。
【００１２】
通信装置としては、ファクシミリ装置や電話装置などが考えられるが、これに限らず、たとえば、パーソナルコンピュータ、ワードプロセッサ、あるいは電子複写装置などに通話機能やファクシミリ送受信機能などを付加したものも含まれる。
【００１３】
キーとしては、押釦スイッチを用いることができるが、これに限らず、タッチスイッチなどを用いてもよい。さらには、表示画面上のアイコンに直接触れるか、あるいはカーソルを表示画面上のアイコンの位置に合わせてマウスをクリックする形式のスイッチ手段を用いてもよい。
【００１４】
電話番号の登録は、たとえばＥＥＰＲＯＭなどの不揮発性メモリに電話番号を記憶させることにより行う。もちろん、ＲＡＭなどの揮発性メモリに電源バックアップを施して電話番号を記憶させてもよいし、ハードディスク装置などに電話番号を記憶させてもよい。
【００１５】
グループ化された電話番号に対応する情報の表示は、電話番号自体の表示であってもよいし、電話番号に対応する名称の表示であってもよい。
【発明の効果】
【００１６】
以上説明したように本発明の通信装置によれば、特定個人用の情報が格納される個人情報記憶手段を呼び出す第一機能と、使用者による１回のキー操作により予め登録されている電話番号を呼び出す第二機能といった異なる機能を実行するためのキーを同じ操作キーにより共用するので、操作キーを削減できる。したがって、部品コストおよび組立コストの低減により生産コストを低減できる。また、キーの設置スペースを減少できるので装置の小型化を図れる。更に、キーが少ないので使用者に心理的な圧迫感を与えることがなく、操作に慣れるのまでの時間を短縮できる。
【発明を実施するための最良の形態】
【００１７】
以下、本発明の好ましい実施の形態を、図面を参照しつつ具体的に説明する。
【００１８】
図１は、本発明に係る通信装置の一例としてのファクシミリ装置の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、表示部１４、通信部１５、および子機１６を備えている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されている。バス線には、アドレスバス、データバス、および制御信号線が含まれる。ゲートアレイ７には、読取部１１、記録部１２、操作部１３、表示部１４、および通信部１５が接続されている。ＮＣＵ２には、通信回線の一例としての電話回線２１が接続されている。
【００１９】
ＣＰＵ１は、ファクシミリ装置全体を制御する。ＮＣＵ２は、電話回線２１に接続されて網制御を行う。ＲＡＭ３は、図示していないが、電源バックアップが施されており、各種のデータを記憶する。また、ＲＡＭ３には、特定個人用の情報を記憶する所定容量の個人情報記憶領域が設定されており、本実施形態では５人分の個人情報記憶領域が確保されている。モデム４は、送信データの変調や受信データの復調などを行う。ＲＯＭ５は、各種のプログラムなどを記憶している。ＥＥＰＲＯＭ６は、各種の登録データやフラグなどを記憶する。ゲートアレイ７は、ＣＰＵ１の入出力インターフェイスとして機能する。コーデック８は、送信ファクシミリデータの符号化や受信ファクシミリデータの復号化を行うとともに、送信音声データを音声信号に変換し、受信音声信号を音声データに変換する。ＤＭＡＣ９は、ＲＡＭ３およびＥＥＰＲＯＭ６へのデータの書き込みや読み出しを行う。読取部１１は、光源やＣＣＤセンサや原稿送りモータなどを備えており、原稿を読み取って画信号を出力する。記録部１２は、インクジェット方式あるいは熱転写方式などの印刷手段を備えており、受信画像などを記録用紙上に記録する。操作部１３は、キースイッチ群などからなり、使用者の操作に応じた信号を出力する。表示部１４は、ＬＣＤなどからなり、ＣＰＵ１により制御されて各種の表示を行う。通信部１５と子機１６とは、相互に無線による通信を行う。すなわち子機１６は、コードレスのハンドセットとしての機能と、親機を遠隔操作するコードレスのリモートコントローラとしての機能とを有している。なお、上記ファクシミリ装置の子機１６以外の部分を親機と呼ぶ。また、通信部１５および子機１６の回路構成自体は、コードレス電話装置などと同様であり、周知であるので説明を省略する。
【００２０】
図２は操作部１３および表示部１４の一部を構成する操作パネルの平面図であって、この操作パネルには、操作キーとして、１２個のダイヤルキー２２、５個のボックス指定キー２３、録音キー２４、消去キー２５、再生キー２６、留守モード設定キー２７、ファンクションキー２８、プライベートキー２９、ヘルプキー３０、停止キー３１、コピーキー３２、スタートキー３３、受信モードキー３４、画質キー３５、左スクロールキー３６、セットキー３７、右スクロールキー３８、内線／キャッチキー３９、再ダイヤル／ポーズキー４０、保留キー４１、およびスピーカホンキー４２が設けられている。また、この操作パネルには、表示装置として、文字、数字、記号などを表示するＬＣＤ４５と、たとえば赤色に発光する発光ダイオード４６とが設けられている。
【００２１】
ダイヤルキー２２は、使用者が被呼先を特定するためのダイヤル番号、具体的には電話番号やファクシミリ番号を入力するためのものである。ボックス指定キー２３は、特定の個人に割り当てられた伝言ボックスを指定するためのものであって、本実施形態ではＡ〜Ｅの５個の伝言ボックスが設けられている。録音キー２４は、図１に示す電話回線２１を介して入力された情報をＲＡＭ３に記憶させるためのものである。消去キー２５は、ＲＡＭ３に記憶された情報を消去するためのものである。再生キー２６は、ＲＡＭ３に記憶された情報を再生するためのものである。なお、再生とは、ＲＡＭ３に記憶された情報が音声データであれば、それを音声として出力することをいい、ＲＡＭ３に記憶された情報がファクシミリデータであれば、それを記録用紙に画像として印刷することをいう。留守モード設定キー２７は、ファクシミリ装置の動作モードを留守モードに設定するためのものである。ファンクションキー２８は、各種の設定．登録などを行うためのものである。プライベートキー２９は、伝言ボックスにアクセスしたり電話帳機能を使用したりするためのものである。ヘルプキー３０は、機能案内を記録部１２に印刷させるためのものである。
【００２２】
停止キー３１は、ファクシミリ送信などを停止させるためのものである。コピーキー３２は、コピー動作を開始させるためのものである。スタートキー３３は、ファクシミリ送信などを開始させるためのものである。受信モードキー３４は、受信モードを選択するためのものである。画質キー３５は、画質の精細度を選択するためのものである。左スクロールキー３６は、ＬＣＤ４５の表示画面に表示されるカーソルを左方向に移動させるためのものである。セットキー３７は、ＬＣＤ４５の表示画面に表示された設定あるいは登録内容などを確定させるためのものである。右スクロールキー３８は、ＬＣＤ４５の表示画面に表示されるカーソルを右方向に移動させるためのものである。内線／キャッチキー３９は、内線およびキャッチのために使用するものである。再ダイヤル／ポーズキー４０は、再ダイヤルおよびポーズのために使用するものである。保留キー４１は、外線を保留しておくためのものである。スピーカホンキー４２は、図外のハンドセットを用いた通話状態からハンドセットを用いない通話状態に切り替えるためのものである。ＬＣＤ４５は、登録あるいは設定内容や動作状態などを表示するためのものである。発光ダイオード４６は、特定個人用の伝言ボックスあるいは非特定個人用の一般メールボックスに音声メッセージあるいはファクシミリメッセージが格納されていることをたとえば点滅により報知するためのものである。
【００２３】
図３は子機１６の正面図であって、子機１６の正面には、操作キーとして、１２個のダイヤルキー５１、外線キー５２、切キー５３、内線キー５４、キャッチキー５５、再生／停止キー５６、短縮キー５７、再ダイヤル／ポーズキー５８、保留キー５９、およびファクシミリ受信キー６０が設けられている。さらに、子機１６の正面には、マイクロホン６５およびスピーカ６６が設けられている。
【００２４】
ダイヤルキー５１は、使用者が被呼先を特定するためのダイヤル番号、具体的には電話番号やファクシミリ番号を入力するためのものである。外線キー５２は、外線にアクセスするときに使用するためのものである。切キー５３は、通話を終了するときに使用するためのものである。内線キー５４は、内線にアクセスするときに使用するためのものである。キャッチキー５５は、キャッチのために使用するものである。再生／停止キー５６は、伝言ボックスや一般メールボックスに格納された音声情報を再生させたり再生を停止させたりするためのものである。短縮キー５７は、短縮ダイヤルを使用するためのものである。再ダイヤル／ポーズキー５８は、再ダイヤルおよびポーズのために使用するものである。保留キー５９は、外線を保留しておくためのものである。ファクシミリ受信キー６０は、着信したファクシミリを受信するためのものである。マイクロホン６５およびスピーカ６６は、通話を行うためのものである。
【００２５】
図４は、ＲＡＭ３の記憶領域の概念的な説明図であって、ＲＡＭ３には、個人情報記憶領域と、一般情報記憶領域と、応答メッセージ記憶領域とが設定されている。もちろんこの他に、他の通信端末から自由に取り出すことができる音声データやファクシミリデータを記憶する任意数の領域をＲＡＭ３に設定しておき、それらの領域に宣伝用の音声データやファクシミリデータを予め記憶させておくようにしてもよい。個人情報記憶領域は、本実施形態では５個設定されており、各個人情報記憶領域には、それぞれ所定容量の音声データ記憶領域とファクシミリデータ記憶領域とが設定されている。これら各個人情報記憶領域、ならびにそれらの音声データ記憶領域およびファクシミリデータ記憶領域は、記憶容量が個別には決められておらず、全体として所定の容量に制限されているだけで、先着順に自由に記憶容量を確保できるフレキシブルなメモリ管理がなされている。もちろん、個別に記憶容量を固定しておくようにしてもよい。これら個人情報記憶領域は、各々特定の個人に割当てられるものであって、いわゆる伝言ボックスとして利用される。すなわち、伝言ボックスの番号を指定して他の通信端末から送信された音声データやファクシミリデータは、対応する個人情報記憶領域に記憶され、それら音声データおよびファクシミリデータは、個人情報記憶領域の所有者である特定の個人のみが知り得るパスワードに該当する暗証情報を入力しなければ取り出すことができないようになされている。一方、一般情報記憶領域には、所定数の音声データ記憶領域とファクシミリデータ記憶領域とが設けられており、この一般情報記憶領域には、留守モードのときに、伝言ボックスの番号を指定することなく、他の通信端末から自由に音声データやファクシミリデータを入力することができ、しかも暗証情報の入力なしに自由にその内容を取り出すことができる。また、ファクシミリ受信がメモリ受信に設定されているときにも、他の通信端末から自由にファクシミリデータを入力することができる。このような一般情報記憶領域を、本実施形態においては一般メールボックスと呼ぶことにする。また、応答メッセージ記憶領域には、各種の音声応答メッセージを出力するための音声データが記憶されている。
【００２６】
すなわち、ＲＡＭ３の個人情報記憶領域は、電話回線２１を介して入力された特定個人用の情報を記憶する個人情報記憶手段を構成している。各ボックス指定キー２３は、伝言ボックス機能を使用するためのキーとワンタッチダイヤル機能を使用するためのキーとプライベート電話帳機能を使用するためのキーとを兼用する共通のキーを構成している。
【００２７】
次に、このように構成されたファクシミリ装置の動作の要点について説明する。このファクシミリ装置は、留守モードにおいて各伝言ボックスへのアクセスが可能なことは勿論のこと、たとえば手動受信モードにおいて、呼出ベル音にしたがって使用者がハンドセットをオフフックしたとき、あるいはスピーカホンキー４２を押下したときにも、使用者による操作部１３の所定の操作、または発呼者による所定の操作に基づく電話回線２１を介してのＤＴＭＦ信号の入力により、電話回線２１を介して入力された音声情報あるいはファクシミリ情報をＲＡＭ３の個人情報記憶領域に記憶させたり、ＲＡＭ３の個人情報記憶領域から電話回線２１を介して音声情報あるいはファクシミリ情報を取り出したりすることができる。なお、ＲＡＭ３の個人情報記憶領域から電話回線２１を介して音声情報あるいはファクシミリ情報を取り出す場合は、不正な取り出しを防止するために、各個人情報記憶領域に対応して予め登録されているパスワードがＤＴＭＦ信号として入力されることを条件としている。
【００２８】
たとえば、ＡさんがＢさんの伝言ボックスにメッセージを入力しようとしてＢさん側の上記ファクシミリ装置に電話をかけたときに、そのファクシミリ装置が留守モードになっておらず、Ｃさんが電話に出たとしても、Ｃさんに伝言ボックスへの入力を依頼して所定の操作をしてもらうか、あるいはＡさんがＡさん側のファクシミリ装置を操作して所定のＤＴＭＦ信号を送信することにより、電話を一旦切ることなく、Ｂさんの伝言ボックスに所望のメッセージを格納できる。もちろん、メッセージは音声であってもよいし文字などの画像であってもよい。
【００２９】
ここで、Ｃさんによる操作部１３に対する所定の操作は、先ずプライベートキー２９を押下し、次にボックス指定キー２３のうちのＢさんの伝言ボックスに対応する「Ｂ」のキーを押下し、最後に録音キー２４を押下する。これにより、ハンドセットなどのスピーカがオフになり、Ｃさんがハンドセットをオンフックさせても電話回線２１は開放されず、Ａさん側のファクシミリ装置から電話回線２１を介して入力されるファクシミリ信号あるいは音声信号が、Ｂさんの伝言ボックスに対応するＲＡＭ３の個人情報記憶領域にファクシミリデータあるいは音声データとして記憶される。
【００３０】
Ｃさんによる所定の操作の代わりに、Ａさんが発呼側のファクシミリ装置を操作してもよい。すなわち、Ａさんがダイヤルキーを「０」「２」「＊」の順に押下することにより、それに応じたＤＴＭＦ信号が電話回線２１を介して上記ファクシミリ装置に入力され、Ｃさんにより上記所定の操作が行われたときと同様の状態になる。なお、上記ダイヤルキー「０」「２」「＊」のうちの「２」は、Ｂさんの伝言ボックスに対応している。このようにすれば、Ｃさんが所定の操作を知らなくても、Ａさん自身でＢさんの伝言ボックスにメッセージを格納できる。
【００３１】
また、Ｄさんが自己の伝言ボックスの内容を外出先から取り出そうとして上記ファクシミリ装置に電話をかけたときに、そのファクシミリ装置が留守モードになっておらず、Ｅさんが電話に出たとしても、ＥさんにＤの伝言ボックスからの出力を依頼して所定の操作をしてもらうか、あるいはＤさんが外出先のファクシミリ装置を操作して所定のＤＴＭＦ信号を送信することにより、電話を一旦切ることなく、Ｄさんが自己の伝言ボックスの内容を取り出せる。もちろん、音声の伝言メッセージであれば外出先のファクシミリ装置のハンドセットなどのスピーカから聞くことができ、画像の伝言メッセージであれば外出先のファクシミリ装置により記録用紙に印刷したり表示画面上に表示させたりできる。
【００３２】
ここで、Ｅさんによる操作部１３に対する所定の操作は、先ずプライベートキー２９を押下し、次にボックス指定キー２３のうちのＤさんの伝言ボックスに対応する「Ｄ」のキーを押下し、最後に再生キー２６を押下する。これにより、ハンドセットなどのスピーカがオフになり、Ｅさんがハンドセットをオンフックさせても電話回線２１は開放されず、Ｄさんが所定時間内に外出先のファクシミリ装置のダイヤルキーを操作して自己の暗証番号を入力することにより、Ｄさんの伝言ボックスに対応するＲＡＭ３の個人情報記憶領域に記憶されているファクシミリデータあるいは音声データが、電話回線２１を介してファクシミリ信号あるいは音声信号として出力される。なお、Ｄさんの暗証番号は、もちろん発呼側のファクシミリ装置からＤＴＭＦ信号として電話回線２１を介して上記ファクシミリ装置に入力される。
【００３３】
Ｅさんによる所定の操作の代わりに、Ｄさんが発呼側のファクシミリ装置を操作してもよい。すなわち、Ｄさんがダイヤルキーを「０」「４」「＊」の順に押下することにより、それに応じたＤＴＭＦ信号が電話回線２１を介して上記ファクシミリ装置に入力され、Ｅさんにより上記所定の操作が行われたときと同様の状態になる。このときも、Ｄさんが自己の暗証番号を入力することはもちろんである。なお、上記ダイヤルキー「０」「４」「＊」のうちの「４」は、Ｄさんの伝言ボックスに対応している。
【００３４】
さらに、上記ファクシミリ装置は、留守モードにおいて一般メールボックスへのアクセスが可能なのは勿論のこと、たとえば手動受信モードにおいて、呼出ベル音にしたがって使用者がハンドセットをオフフックしたとき、あるいはスピーカホンキー４２を押下したときにも、使用者による操作部１３の所定の操作、または発呼側の使用者による所定の操作に基づく電話回線２１を介してのＤＴＭＦ信号の入力により、電話回線２１を介して入力された音声情報あるいはファクシミリ情報をＲＡＭ３の一般情報記憶領域に記憶させたり、ＲＡＭ３の一般情報記憶領域から電話回線２１を介して音声情報あるいはファクシミリ情報を取り出したりすることができる。
【００３５】
たとえば、Ａさんが一般メールボックスにメッセージを入力しようとして上記ファクシミリ装置に電話をかけたときに、そのファクシミリ装置が留守モードになっておらず、Ｃさんが電話に出たとしても、Ｃさんに一般メールボックスへの入力を依頼して所定の操作をしてもらうか、あるいはＡさんがＡさん側のファクシミリ装置を操作して所定のＤＴＭＦ信号を送信することにより、電話を一旦切ることなく、一般メールボックスに所望のメッセージを格納できる。もちろん、メッセージは音声であってもよいし文字などの画像であってもよい。
【００３６】
ここで、Ｃさんによる操作部１３に対する所定の操作は、たとえば、プライベートキー２９を押下し、次に録音キー２４を押下する。これにより、Ｃさんがハンドセットをオンフックさせても電話回線２１は開放されず、Ａさん側のファクシミリ装置から電話回線２１を介して入力されるファクシミリ信号あるいは音声信号が、一般メールボックスに対応するＲＡＭ３の一般情報記憶領域にファクシミリデータあるいは音声データとして記憶される。
【００３７】
Ｃさんによる所定の操作の代わりに、Ａさんが発呼側のファクシミリ装置を操作してもよい。たとえば、Ａさんがダイヤルキーを「０」「＊」の順に押下することにより、それに応じたＤＴＭＦ信号が電話回線２１を介して上記ファクシミリ装置に入力され、Ｃさんにより上記所定の操作が行われたときと同様の状態になる。
【００３８】
また、Ｄさんが一般メールボックスの内容を外出先から取り出そうとして上記ファクシミリ装置に電話をかけたときに、そのファクシミリ装置が留守モードになっておらず、Ｅさんが電話に出たとしても、Ｅさんに一般メールボックスからの出力を依頼して所定の操作をしてもらうか、あるいはＤさんが外出先のファクシミリ装置を操作して所定のＤＴＭＦ信号を送信することにより、電話を一旦切ることなく、Ｄさんが一般メールボックスの内容を取り出せる。もちろん、音声のメッセージであれば外出先のファクシミリ装置のハンドセットなどのスピーカから聞くことができ、画像のメッセージであれば外出先のファクシミリ装置により記録用紙に印刷したり表示画面上に表示させたりできる。
【００３９】
ここで、Ｅさんによる操作部１３に対する所定の操作は、たとえば、プライベートキー２９を押下し、次に再生キー２６を押下する。これにより、Ｅさんがハンドセットをオンフックさせても電話回線２１は開放されず、一般メールボックスに対応するＲＡＭ３の一般情報記憶領域に記憶されているファクシミリデータあるいは音声データが、電話回線２１を介してファクシミリ信号あるいは音声信号として出力される。
【００４０】
Ｅさんによる所定の操作の代わりに、Ｄさんが発呼側のファクシミリ装置を操作してもよい。すなわち、Ｄさんがダイヤルキーを「０」「＊」の順に押下することにより、それに応じたＤＴＭＦ信号が電話回線２１を介して上記ファクシミリ装置に入力され、Ｅさんにより上記所定の操作が行われたときと同様の状態になる。
【００４１】
このように、伝言ボックスの番号を指定するための操作を行わないことを除いて、伝言ボックスへのアクセスと同様の操作により、一般メールボックスへのアクセスが可能である。
【００４２】
また、上記ファクシミリ装置は、複数の所望の通信相手の電話番号を相手先の名称などと共に予め登録しておくことにより、それらを検索あるいは指定して自動的に発呼させることができる電話帳機能を有しており、ボックス指定キー２３は、ワンタッチダイヤルのためのキーとしても使用される。すなわち、５個のボックス指定キー２３には各々１個のワンタッチダイヤル用の電話番号が対応付けて登録されており、いずれかのボックス指定キー２３を選択して１回押下するだけで、そのボックス指定キー２３に対応する電話番号に自動発呼される。
【００４３】
更に、上記ファクシミリ装置は、各ボックス指定キー２３毎のグループ名を電話帳に登録することが可能であり、グループ毎のプライベート電話帳として利用できる。すなわち、ボックス指定キー２３のＡがＡさんに割り当てられているものとすると、電話帳に登録された所望の電話番号にグループ名Ａを登録する。これにより、Ａさんが自己のプライベート電話帳を使用したときには、グループ名Ａが登録された電話番号のみを表示させたり指定したりすることができる。プライベート電話帳の使用に際しては、待機中に、先ずプライベートキー２９を押下し、次いでボックス指定キー２３のＡを押下し、次にＡさんの暗証番号をダイヤルキー２２により押下する。これによりＡさんのプライベート電話帳が使用可能になり、予め登録された２桁の短縮ダイヤルをダイヤルキー２２の押下操作により入力すると、それに対応する相手先名称がＬＣＤ４５の表示画面上に表示される。このとき、ハンドセットがオフフックされていれば、ＬＣＤ４５の表示画面上に表示されている相手先名称に対応する電話番号に自動的に発呼され、ハンドセットがオンフックされていれば、スタートキー３３を押下することにより、ＬＣＤ４５の表示画面上に表示されている相手先名称に対応する電話番号に自動的に発呼される。また、ボックス指定キー２３のＡあるいはスクロールキー３６，３８を順次押下すると、ＬＣＤ４５の表示画面上に表示されるＡさんのプライベート電話帳内の相手先名称があいうえお順などの辞書順に順次切り替わり、所望の相手先名称がＬＣＤ４５の表示画面上に表示された時点でスタートキー３３を押下することにより、表示されている相手先名称に対応する電話番号に自動的に発呼される。なお、ＬＣＤ４５の表示画面上に、相手先名称ではなくて電話番号を表示するようにしてもよい。
【００４４】
次に、上記ファクシミリ装置による各動作モードでの着信処理の手順について、図５〜図１０に示すフローチャートを参照しながら説明する。
【００４５】
留守モードにおいては、図５に示すように、先ずＣＰＵ１が、着呼の有無を判断する（Ｓ１）。
【００４６】
着呼があれば（Ｓ１：ＹＥＳ）、ＣＰＵ１が、ＮＣＵ２を制御して回線を閉結して着信させる（Ｓ２）。このとき、伝言ボックスの設定がオンになっていれば、呼出ベル音の設定回数に拘らず、呼出ベル音を鳴らさない無鳴動着信を行う。伝言ボックスの設定がオフになっていれば、呼出ベル音の設定回数に応じて呼出ベル音を鳴らす鳴動着信を行う。この呼出ベル音は、子機１６のスピーカ６６からも出力させる。なお、伝言ボックスの設定がオフになっているときには、伝言ボックスへのアクセスは一切できないようになる。そしてＣＰＵ１が、タイマを起動させる（Ｓ３）。このタイマは、発呼側端末からのＣＮＧ信号を検出するための時間を決定するものであり、たとえば４秒に設定されている。そしてＣＰＵ１が、ＣＮＧ信号を検出したか否かを判断する（Ｓ４）。すなわち、電話回線２１を介してＣＮＧ信号が入力されたかどうかを調べる。
【００４７】
ＣＮＧ信号を検出していなければ（Ｓ４：ＮＯ）、ＣＰＵ１が、Ｓ３で起動させたタイマがタイムアップしたか否かを判断する（Ｓ５）。
【００４８】
タイマがタイムアップしていれば（Ｓ５：ＹＥＳ）、所定時間内にＣＮＧ信号が入力されなかったということなので、ファクシミリ受信ではないと判定し、ＣＰＵ１が、留守モード用の案内メッセージの再生を開始する（Ｓ６）。すなわち、留守モード用の案内メッセージに対応する音声データをＲＡＭ３の応答メッセージ記憶領域から読み出し、それをコーデック８により音声信号に変換させて、ＮＣＵ２を介して電話回線２１に送出する。そしてＣＰＵ１が、ＣＮＧ信号を検出したか否かを判断する（Ｓ７）。
【００４９】
ＣＮＧ信号を検出していなければ（Ｓ７：ＮＯ）、ＣＰＵ１が、ボックス番号が指定されたか否かを判断する（Ｓ８）。すなわち、発呼側端末において、伝言ボックスの番号を指定するためにダイヤルキーを押下すると、そのダイヤルキーに対応するＤＴＭＦ信号が電話回線２１を介して入力されるので、そのＤＴＭＦ信号が入力されたか否かを判断するのである。上記ファクシミリ装置のボックス指定キー２３のＡ〜Ｅは、それぞれ伝言ボックスに各別に対応しており、またこれらの伝言ボックスは、たとえば発呼側端末のダイヤルキーの１〜５に各別に対応している。したがって、発呼側端末では、ボックス指定キー２３のＡ〜Ｅのいずれかを押下する代わりに、ダイヤルキーの１〜５のいずれかを含む押下操作を行うことにより、所望の伝言ボックスを指定する。たとえば、Ａのボックス指定キー２３の代わりに、「０」「１」「＊」の順に発呼側端末のダイヤルキーを押下する。
【００５０】
ボックス番号が指定されていなければ（Ｓ８：ＮＯ）、ＣＰＵ１が、Ｓ６で開始した留守モード用の案内メッセージの再生が終了したか否かを判断する（Ｓ９）。
【００５１】
留守モード用の案内メッセージの再生が終了すれば（Ｓ９：ＹＥＳ）、留守モード用の案内メッセージの再生期間内に、ＣＮＧ信号が検出されず、しかも伝言ボックスの番号も指定されなかったということなので、特定個人宛ではない一般の音声情報の伝言であると判定し、ＣＰＵ１が、一般ＩＣＭ録音を行う（Ｓ１０）。具体的には、電話回線２１を介して入力される音声信号をコーデック８によりディジタルの音声データに変換させ、その音声データをＲＡＭ３の一般情報記憶領域内の音声データ記憶領域に格納する。なお、ＣＮＧ信号および伝言ボックス番号指定のためのＤＴＭＦ信号の検出は、留守モード用の案内メッセージの再生期間中、常に判断される。すなわち、留守モード用の案内メッセージの再生期間は、通常は実際に案内メッセージを送出している時間と、それに続く無音時間とにより構成されているので、その期間にＣＮＧ信号あるいはＤＴＭＦ信号を検出したか否かを調べる。そしてＣＰＵ１が、一般ＩＣＭ録音が終了したか否かを判断する（Ｓ１１）。
【００５２】
一般ＩＣＭ録音が終了すれば（Ｓ１１：ＹＥＳ）、ＣＰＵ１が、回線を切断し（Ｓ１２）、このルーチンを終了する。
【００５３】
Ｓ１１において、一般ＩＣＭ録音が終了していなければ（Ｓ１１：ＮＯ）、Ｓ１０に戻って一般ＩＣＭ録音を継続する。
【００５４】
Ｓ９において、留守モード用の案内メッセージの再生が終了していなければ（Ｓ９：ＮＯ）、Ｓ６に戻って留守モード用の案内メッセージの再生を継続する。
【００５５】
Ｓ８において、ボックス番号が指定されていれば（Ｓ８：ＹＥＳ）、特定個人宛の伝言であるということなので、伝言ボックス処理を行って（Ｓ１４）、このルーチンを終了する。この伝言ボックス処理については、後に詳述する。
【００５６】
Ｓ７において、ＣＮＧ信号が検出されていれば（Ｓ７：ＹＥＳ）、非特定個人宛のファクシミリを受信したということなので、ＣＰＵ１が、一般ファクシミリ受信を行う（Ｓ１５）。具体的には、電話回線２１を介して受信したファクシミリデータをＲＡＭ３の一般情報記憶領域内のファクシミリデータ記憶領域に格納する。そしてＣＰＵ１が、一般ファクシミリ受信が終了したか否かを判断する（Ｓ１６）。
【００５７】
一般ファクシミリ受信が終了していれば（Ｓ１６：ＹＥＳ）、ＣＰＵ１が、回線を切断し（Ｓ１７）、転送設定がオンになっているか否かを判断する（Ｓ１８）。
【００５８】
転送設定がオンになっていれば（Ｓ１８：ＹＥＳ）、ＣＰＵ１が、転送先の通信端末に発呼し（Ｓ１９）、Ｓ１５において受信したファクシミリデータを送信する（Ｓ２０）。すなわち、留守モードのときは、受信したファクシミリデータはＲＡＭ３の一般情報記憶領域内のファクシミリデータ記憶領域に格納されるので、そのファクシミリデータを予め設定された電話番号の通信端末に転送するのである。
【００５９】
そしてＣＰＵ１が、転送が終了したか否かを判断し（Ｓ２１）、終了していれば（Ｓ２１：ＹＥＳ）、Ｓ１２に進んで回線を切断し、このルーチンを終了する。
【００６０】
Ｓ２１において、転送が終了していなければ（Ｓ２１：ＮＯ）、Ｓ２０に戻って転送を継続する。
【００６１】
Ｓ１８において、転送設定がオンになっていなければ（Ｓ１８：ＮＯ）、転送の必要がないので、このルーチンを終了する。
【００６２】
Ｓ１６において、一般ファクシミリ受信が終了していなければ（Ｓ１６：ＮＯ）、Ｓ１５に戻って一般ファクシミリ受信を継続する。
【００６３】
Ｓ５において、Ｓ３で起動したタイマがタイムアップしていなければ（Ｓ５：ＮＯ）、Ｓ４に戻ってＣＮＧ信号の検出を継続する。
【００６４】
Ｓ４において、ＣＮＧ信号を検出していれば（Ｓ４：ＹＥＳ）、発呼側端末においてファクシミリの自動送信がなされているということなので、Ｓ１５に進んで一般ファクシミリ受信以降の処理を実行する。
【００６５】
Ｓ１において、着呼していなければ（Ｓ１：ＮＯ）、このルーチンを終了する。
【００６６】
次に、図５のＳ１４における伝言ボックス処理の手順について説明する。伝言ボックス処理においては、図６に示すように、先ずＣＰＵ１が、ＤＴＭＦ信号により指定された伝言ボックス用の案内メッセージの再生を開始させる（Ｓ３１）。すなわち、ＲＡＭ３の応答メッセージ記憶領域から指定された伝言ボックス用の案内メッセージに対応する音声データを読み出し、それをコーデック８により音声信号に変換させて、その音声信号を電話回線２１を介して発呼側端末に送信させる。この時点で、親機のハンドセットのスピーカ、ハンドセット以外に親機側に設けられたスピーカ、および子機１６のスピーカ６６などの全てのスピーカから、音が出力されなくなる。そしてＣＰＵ１が、ＣＮＧ信号を検出したか否かを判断する（Ｓ３２）。すなわち、電話回線２１を介してＣＮＧ信号を受信したかどうかを調べる。
【００６７】
ＣＮＧ信号を検出していなければ（Ｓ３２：ＮＯ）、ＣＰＵ１が、パスワードが指定されたか否かを判断する（Ｓ３３）。すなわち、指定された伝言ボックスに対応する暗証番号がＤＴＭＦ信号として正しく入力されたかどうかを調べる。これは、暗証番号を知らない者が不正に伝言ボックスの内容を取り出すことを防止するためである。パスワードが指定されていなければ（Ｓ３３：ＮＯ）、ＣＰＵ１が、ＤＴＭＦ信号により指定された伝言ボックス用の案内メッセージの再生が終了したか否かを判断する（Ｓ３４）。
【００６８】
ＤＴＭＦ信号により指定された伝言ボックス用の案内メッセージの再生が終了していれば（Ｓ３４：ＹＥＳ）、案内メッセージの再生期間内にＣＮＧ信号も暗証番号に対応するＤＴＭＦ信号も入力されなかったということなので、伝言ボックスへの音声メッセージの入力であると判定し、ＣＰＵ１が、指定された伝言ボックスへのＩＣＭ録音を開始する（Ｓ３５）。具体的には、電話回線２１を介して入力された音声信号をコーデック８によりディジタルの音声データに変換させ、その音声データをＲＡＭ３の指定された伝言ボックスに対応する個人情報記憶領域内の音声データ記憶領域に格納する。そしてＣＰＵ１が、ＩＣＭ録音が終了したか否かを判断する（Ｓ３６）。
【００６９】
ＩＣＭ録音が終了していれば（Ｓ３６：ＹＥＳ）、ＣＰＵ１が、ファクシミリデータを受信したか否かを判断する（Ｓ３７）。
【００７０】
ファクシミリデータを受信していれば（Ｓ３７：ＹＥＳ）、ＣＰＵ１が、受信したファクシミリデータを指定された伝言ボックスに格納する（Ｓ３８）。具体的には、受信したファクシミリ信号をモデム４に復調させ、復調されたファクシミリデータをＲＡＭ３の指定された伝言ボックスに対応する個人情報記憶領域内のファクシミリデータ記憶領域に格納する。そしてＣＰＵ１が、ファクシミリデータの受信が終了したか否かを判断する（Ｓ３９）。
【００７１】
ファクシミリデータの受信が終了していれば（Ｓ３９：ＹＥＳ）、ＣＰＵ１が、回線を切断し（Ｓ４０）、個別ページング設定がオンになっていれば、個別ページング番号へ発呼して（Ｓ４１）、このルーチンを終了する。個別ページング設定がオフになっていれば、個別ページング番号への発呼は行わない。この個別ページング番号は、具体的には、伝言ボックスにメッセージが入力されたことを電話回線２１を介して知らせるべき通信端末の電話番号のことであって、各伝言ボックス毎に１ないし複数設定されている。そして、伝言ボックスにメッセージが入力されれば、その電話番号に発呼して、その旨を自動的に知らせる。報知方式は、たとえば、通信端末であるページャやファクシミリ装置や電話装置などの表示画面に伝言ボックスにメッセージが入力された旨を文字あるいは記号により表示すればよい。なお、伝言ボックスにメッセージが入力された旨の報知だけではなく、伝言ボックスに入力されたメッセージ自体も送信するようにしてもよい。もちろんこの場合、送信先の通信端末が受信可能なメッセージに限られることになる。たとえば、送信先の通信端末がファクシミリ受信機能を有しないページャや電話装置の場合、ファクシミリメッセージを送信しても無意味である。
【００７２】
Ｓ３９において、ファクシミリデータの受信が終了していなければ（Ｓ３９：ＮＯ）、Ｓ３８に戻ってファクシミリデータの受信を継続する。
【００７３】
Ｓ３７において、ファクシミリデータを受信していなければ（Ｓ３７：ＮＯ）、ファクシミリデータを伝言ボックスに格納する必要がないので、Ｓ４０に進んで回線の切断以降の処理を実行する。
【００７４】
Ｓ３６において、ＩＣＭ録音が終了していなければ（Ｓ３６：ＮＯ）、Ｓ３５に戻ってＩＣＭ録音を継続する。
【００７５】
Ｓ３４において、ＤＴＭＦ信号により指定された伝言ボックス用の案内メッセージの再生が終了していなければ（Ｓ３４：ＮＯ）、Ｓ３１に戻って案内メッセージの再生を継続する。
【００７６】
Ｓ３３において、パスワードが指定されていれば（Ｓ３３：ＹＥＳ）、すなわち指定された伝言ボックスの暗証番号に対応するＤＴＭＦ信号が入力されていれば、ＣＰＵ１が、指定された伝言ボックスのＩＣＭ再生を行う（Ｓ４２）。具体的には、ＲＡＭ３の指定された伝言ボックスに対応する個人情報記憶領域内の音声データ記憶領域に格納されている音声データをコーデック８によりアナログの音声信号に変換させ、その音声信号をＮＣＵ２を介して電話回線２１に送出させる。そしてＣＰＵ１が、指定された伝言ボックスのＩＣＭ再生が終了したか否かを判断する（Ｓ４３）。
【００７７】
指定された伝言ボックスのＩＣＭ再生が終了していれば（Ｓ４３：ＹＥＳ）、ＣＰＵ１が、一般リトリーバル用の案内メッセージを再生する（Ｓ４４）。具体的には、ＲＡＭ３の応答メッセージ記憶領域に格納されている一般リトリーバル用の案内メッセージに対応する音声データを読み出し、その音声データをコーデック８によりアナログの音声信号に変換させて、その音声信号をＮＣＵ２を介して電話回線２１に送出させる。これは、発呼端末側の使用者が伝言ボックスだけではなく非特定個人用の一般メールボックスに格納されているメッセージも取り出したい場合があるので、それを確かめるためである。そしてＣＰＵ１が、一般リトリーバルを要求する旨の予め決められたＤＴＭＦ信号が入力されたか否かを判断する（Ｓ４５）。
【００７８】
一般リトリーバル用の案内メッセージの再生開始から所定時間内に一般リトリーバルを要求する旨の予め決められたＤＴＭＦ信号が入力されていれば（Ｓ４５：ＹＥＳ）、ＣＰＵ１が、フラグＦを１にセットし（Ｓ４６）、一般ＩＣＭ再生を開始する（Ｓ４７）。具体的には、ＲＡＭ３の一般情報記憶領域内の音声データ記憶領域に格納されている音声データを読み出し、その音声データをコーデック８によりアナログの音声信号に変換させ、その音声信号をＮＣＵ２を介して電話回線２１に送出させる。そしてＣＰＵ１が、一般ＩＣＭ再生が終了したか否かを判断する（Ｓ４８）。
【００７９】
一般ＩＣＭ再生が終了していれば（Ｓ４８：ＹＥＳ）、ＣＰＵ１が、ファクシミリメッセージの報知音を出力する（Ｓ４９）。具体的には、ＲＡＭ３の応答メッセージ記憶領域に格納されているファクシミリデータを送信する旨の報知メッセージに該当する音声データを読み出し、その音声データをコーデック８によりアナログの音声信号に変換させ、その音声信号をＮＣＵ２を介して電話回線２１に送出させる。これにより発呼側端末の使用者は、発呼側端末のスタートキーを押下するなどして、ファクシミリ受信を開始させる。
【００８０】
そしてＣＰＵ１が、指定された伝言ボックスのファクシミリ再生を行う（Ｓ５０）。具体的には、ＲＡＭ３の指定された伝言ボックスに対応する個人情報記憶領域内のファクシミリデータ記憶領域に格納されているファクシミリデータをモデム４に変調させ、そのファクシミリ信号をＮＣＵ２を介して電話回線２１に送出させる。そしてＣＰＵ１が、指定された伝言ボックスのファクシミリ再生が終了したか否かを判断する（Ｓ５１）。
【００８１】
指定された伝言ボックスのファクシミリ再生が終了していれば（Ｓ５１：ＹＥＳ）、ＣＰＵ１が、フラグＦが１か否かを判断する（Ｓ５２）。
【００８２】
フラグＦが１であれば（Ｓ５２：ＹＥＳ）、非特定個人宛の一般メールボックスの内容も取り出したい旨の要求が発呼端末側からなされたということなので、ＣＰＵ１が、一般ファクシミリ再生を開始する（Ｓ５３）。具体的には、ＲＡＭ３の一般情報記憶領域内のファクシミリデータ記憶領域に格納されているファクシミリデータを読み出し、そのファクシミリデータをモデム４に変調させ、そのファクシミリ信号をＮＣＵ２を介して電話回線２１に送出させる。そしてＣＰＵ１が、一般ファクシミリ再生が終了したか否かを判断する（Ｓ５４）。
【００８３】
一般ファクシミリ再生が終了していれば（Ｓ５４：ＹＥＳ）、ＣＰＵ１が、フラグＦを０にセットし（Ｓ５５）、回線を切断して（Ｓ５６）、このルーチンを終了する。
【００８４】
Ｓ５４において、一般ファクシミリ再生が終了していなければ（Ｓ５４：ＮＯ）、Ｓ５３に戻って一般ファクシミリ再生を継続する。
【００８５】
Ｓ５２において、フラグＦが１でなければ（Ｓ５２：ＮＯ）、非特定個人宛の一般メールボックスの内容も取り出したい旨の要求が発呼端末側からなされなかったということなので、一般ファクシミリ再生を行わずにＳ５６に進む。
【００８６】
Ｓ５１において、指定された伝言ボックスのファクシミリ再生が終了していなければ（Ｓ５１：ＮＯ）、Ｓ５０に戻って指定された伝言ボックスのファクシミリ再生を継続する。
【００８７】
Ｓ４８において、一般ＩＣＭ再生が終了していなければ（Ｓ４８：ＮＯ）、Ｓ４７に戻って一般ＩＣＭ再生を継続する。
【００８８】
Ｓ４５において、一般リトリーバル用の案内メッセージの再生開始から所定時間内に一般リトリーバルを要求する旨の予め決められたＤＴＭＦ信号が入力されていなければ（Ｓ４５：ＮＯ）、ＣＰＵ１が、フラグＦを０にセットし（Ｓ５７）、一般ＩＣＭ再生を行わずにＳ４９に進む。
【００８９】
Ｓ４３において、指定された伝言ボックスのＩＣＭ再生が終了していなければ（Ｓ４３：ＮＯ）、Ｓ４２に戻って指定された伝言ボックスのＩＣＭ再生を継続する。
【００９０】
Ｓ３２において、ＣＮＧ信号を検出していれば（Ｓ３２：ＹＥＳ）、発呼側が指定した伝言ボックスにファクシミリメッセージだけを残したいということなので、ＩＣＭ録音を行わずにＳ３８に進む。
【００９１】
次に、ファクシミリと電話との自動切替モード（以下「Ｆ／Ｔモード」と記す）における着信処理について説明する。Ｆ／Ｔモードにおいては、図７に示すように、先ずＣＰＵ１が、着呼の有無を判断する（Ｓ６１）。
【００９２】
着呼があれば（Ｓ６１：ＹＥＳ）、ＣＰＵ１が、ＮＣＵ２を制御して回線を閉結して着信させる（Ｓ６２）。このとき、伝言ボックスの設定がオンになっていれば、呼出ベル音の設定回数に拘らず、呼出ベル音を鳴らさない無鳴動着信を行う。伝言ボックスの設定がオフになっていれば、呼出ベル音の設定回数に応じて呼出ベル音を鳴らす鳴動着信を行う。この呼出ベル音は、子機１６のスピーカ６６からも出力する。そしてＣＰＵ１が、タイマを起動させる（Ｓ６３）。このタイマは、発呼側端末からのＣＮＧ信号を検出するための時間を決定するものであり、たとえば４秒に設定されている。そしてＣＰＵ１が、ＣＮＧ信号を検出したか否かを判断する（Ｓ６４）。すなわち、電話回線２１を介してＣＮＧ信号が入力されたかどうかを調べる。
【００９３】
ＣＮＧ信号を検出していなければ（Ｓ６４：ＮＯ）、ＣＰＵ１が、Ｓ６３で起動させたタイマがタイムアップしたか否かを判断する（Ｓ６５）。
【００９４】
タイマがタイムアップしていれば（Ｓ６５：ＹＥＳ）、所定時間内にＣＮＧ信号が入力されなかったということなので、ファクシミリ受信ではないと判定し、ＣＰＵ１が、Ｆ／Ｔモード用の案内メッセージの再生を開始する（Ｓ６６）。すなわち、Ｆ／Ｔモード用の案内メッセージに対応する音声データをＲＡＭ３の応答メッセージ記憶領域から読み出し、それをコーデック８により音声信号に変換させて、ＮＣＵ２を介して電話回線２１に送出する。そしてＣＰＵ１が、ＣＮＧ信号を検出したか否かを判断する（Ｓ６７）。
【００９５】
ＣＮＧ信号を検出しなければ（Ｓ６７：ＮＯ）、ＣＰＵ１が、ボックス番号が指定されたか否かを判断する（Ｓ６８）。すなわち、発呼側端末において、伝言ボックスの番号を指定するためにダイヤルキーを押下すると、そのダイヤルキーに対応するＤＴＭＦ信号が電話回線２１を介して入力されるので、そのＤＴＭＦ信号が入力されたか否かを判断するのである。上記ファクシミリ装置のボックス指定キー２３のＡ〜Ｅは、それぞれ伝言ボックスに各別に対応しており、またこれらの伝言ボックスは、たとえば発呼側端末のダイヤルキーの１〜５に各別に対応している。したがって、発呼側端末では、ボックス指定キー２３のＡ〜Ｅのいずれかを押下する代わりに、ダイヤルキーの１〜５のいずれかを含む押下操作を行うことにより、所望の伝言ボックスを指定する。たとえば、Ａのボックス指定キー２３のかわりに、「０」「１」「＊」の順に発呼側端末のダイヤルキーを押下する。
【００９６】
ボックス番号が指定されていなければ（Ｓ６８：ＮＯ）、ＣＰＵ１が、Ｓ６６で開始したＦ／Ｔモード用の案内メッセージの再生が終了したか否かを判断する（Ｓ６９）。
【００９７】
Ｆ／Ｔモード用の案内メッセージの再生が終了していれば（Ｓ６９：ＹＥＳ）、ＣＰＵ１が、タイマを起動し（Ｓ７０）、そのタイマがタイムアップしたか否かを判断する（Ｓ７１）。このタイマは、Ｓ６３で起動したタイマとは異なり、Ｆ／Ｔモード用の案内メッセージの再生終了後に発呼側の使用者に伝言ボックスの番号を指定するための時間を与えるためのものであり、起動からたとえば２秒後にタイムアップする。
【００９８】
Ｓ７０で起動したタイマがタイムアップしていれば（Ｓ７１：ＹＥＳ）、ＣＰＵ１が、呼出ベル音を鳴動させる（Ｓ７２）。この呼出ベル音により使用者が親機のハンドセットをオフフックさせるか、スピーカホンキー４２を押下するか、あるいは子機１６の外線キー５２を押下すると、通話状態になる（Ｓ７３）。通話が終了すると、ＣＰＵ１が回線を切断して（Ｓ７４）、このルーチンを終了する。
【００９９】
Ｓ７１において、Ｓ７０で起動させたタイマがタイムアップしていなければ（Ｓ７１：ＮＯ）、ＣＰＵ１が、ボックス番号が指定されたか否かを判断する（Ｓ７８）。ボックス番号が指定されていれば（Ｓ７８：ＹＥＳ）、Ｓ７５に進んで伝言ボックス処理を行う。ボックス番号が指定されていなければ（Ｓ７８：ＮＯ）、Ｓ７１に戻ってボックス番号が指定されるかあるいはタイマがタイムアップするのを待つ。
【０１００】
Ｓ６９において、Ｆ／Ｔモード用の案内メッセージの再生が終了していなければ（Ｓ６９：ＮＯ）、Ｓ６６に戻ってＦ／Ｔモード用の案内メッセージの再生を継続する。
【０１０１】
Ｓ６８において、ボックス番号が指定されていれば（Ｓ６８：ＹＥＳ）、特定個人宛の伝言であるということなので、伝言ボックス処理を行って（Ｓ７５）、このルーチンを終了する。この伝言ボックス処理は、図６に示す伝言ボックス処理と全く同じである。
【０１０２】
Ｓ６７において、ＣＮＧ信号が検出されていれば（Ｓ６７：ＹＥＳ）、非特定個人宛のファクシミリを受信したということなので、ＣＰＵ１が、一般ファクシミリ受信を行う（Ｓ７６）。具体的には、メモリ受信が設定されている場合、電話回線２１を介して受信したファクシミリデータをＲＡＭ３の一般情報記憶領域内のファクシミリデータ記憶領域に格納し、メモリ受信が設定されていない場合、電話回線２１を介して受信したファクシミリデータを記録部１２により記録用紙上に記録させる。そしてＣＰＵ１が、一般ファクシミリ受信が終了したか否かを判断する（Ｓ７７）。
【０１０３】
一般ファクシミリ受信が終了していれば（Ｓ７７：ＹＥＳ）、Ｓ７４に進んで回線を切断し、このルーチンを終了する。
【０１０４】
Ｓ７７において、一般ファクシミリ受信が終了していなければ（Ｓ７７：ＮＯ）、Ｓ７６に戻って一般ファクシミリ受信を継続する。
【０１０５】
Ｓ６５において、Ｓ６３で起動したタイマがタイムアップしていなければ（Ｓ６５：ＮＯ）、Ｓ６４に戻ってＣＮＧ信号の検出を継続する。
【０１０６】
Ｓ６４において、ＣＮＧ信号を検出していれば（Ｓ６４：ＹＥＳ）、発呼側端末においてファクシミリの自動送信がなされているということなので、Ｓ７６に進んで一般ファクシミリ受信以降の処理を実行する。
【０１０７】
Ｓ６１において、着呼していなければ（Ｓ６１：ＮＯ）、このルーチンを終了する。
【０１０８】
なお、上記のＦ／Ｔモードにおいては、Ｓ７３の通話中にも、後述の手動受信モードにおける通話中と同様に、使用者によるボックス指定キー２３の操作、あるいは発呼側端末側でのダイヤルキーの操作により、Ｓ７５の伝言ボックス処理に移行することができる。
【０１０９】
次に、手動受信モードにおける着信処理について説明する。手動受信モードにおいては、図８に示すように、先ずＣＰＵ１が、着呼の有無を判断する（Ｓ８１）。
【０１１０】
着呼があれば（Ｓ８１：ＹＥＳ）、ＣＰＵ１が、呼出ベル音を鳴動させ（Ｓ８２）、オフフックされたか否かを判断する（Ｓ８３）。すなわち、使用者が親機のハンドセットをオフフックさせたか、あるいはスピーカホンキー４２を押下したかどうかを調べる。
【０１１１】
オフフックされれば（Ｓ８３：ＹＥＳ）、ＣＰＵ１が、ＮＣＵ２を制御して回線を閉結して着信させ（Ｓ８４）、親機のスタートキー３３が押下されたか否かを判断する（Ｓ８５）。すなわち、発呼側端末の使用者が、伝言ボックスや一般メールボックスの使用を望んでおらず、単にファクシミリを送りたい旨を通話中に伝えれば、上記ファクシミリ装置の使用者が、親機のスタートキー３３を押下するので、それを調べるのである。
【０１１２】
スタートキーが押下されていなければ（Ｓ８５：ＮＯ）、ＣＰＵ１が、親機の録音キー２４が押下されたか否かを判断する（Ｓ８６）。すなわち、通話を録音したい場合、上記ファクシミリ装置の使用者が、親機の録音キー２４を押下するので、それを調べるのである。
【０１１３】
録音キー２４が押下されていなければ（Ｓ８６：ＮＯ）、ＣＰＵ１が、伝言ボックスの番号を指定するためのキー操作がなされたか否かを判断する（Ｓ８７）。すなわち、発呼側端末の使用者から通話中に伝言ボックスにメッセージを入れたい旨の依頼があれば、上記ファクシミリ装置の使用者が、伝言ボックスＡ〜Ｅのうちのいずれかにメッセージを入力するための操作を行うので、それを調べるのである。具体的には、プライベートキー２９と、ボックス指定キー２３のうちのいずれかと、録音キー２４とがこの順に押下されたかどうかを調べる。もちろん、キー操作は必ずしもこの順である必要はなく、予め決められた所定順序であればよい。
【０１１４】
伝言ボックスの番号を指定するためのキー操作がなされていなければ（Ｓ８７：ＮＯ）、ＣＰＵ１が、ボックス番号を指定するためのＤＴＭＦ信号が検出されたか否かを判断する（Ｓ８８）。すなわち、発呼側端末の使用者が、伝言ボックスにメッセージを入れたい場合、そのための操作を上記ファクシミリ装置の使用者に依頼することなく、伝言ボックスの番号を指定するために発呼側端末のダイヤルキーを押下すると、そのダイヤルキーに対応するＤＴＭＦ信号が電話回線２１を介して入力されるので、そのＤＴＭＦ信号が入力されたかどうかを調べるのである。上記ファクシミリ装置のボックス指定キー２３のＡ〜Ｅは、それぞれ伝言ボックスに各別に対応しており、またこれらの伝言ボックスは、たとえば発呼側端末のダイヤルキーの１〜５に各別に対応している。したがって、発呼側端末では、ボックス指定キー２３のＡ〜Ｅのいずれかを押下する代わりに、ダイヤルキーの１〜５のいずれかを含む押下操作を行うことにより、所望の伝言ボックスを指定する。たとえば、Ａのボックス指定キー２３のかわりに、「０」「１」「＊」の順に発呼側端末のダイヤルキーを押下する。
【０１１５】
ボックス番号を指定するためのＤＴＭＦ信号が検出されていなければ（Ｓ８８：ＮＯ）、ＣＰＵ１が、一般リトリーバルを要求するためのキー操作がなされたか否かを判断する（Ｓ８９）。すなわち、発呼側端末の使用者が特定個人宛の伝言ボックスではなく、一般メールボックスにメッセージを入れたい場合、その旨を通話中に上記ファクシミリ装置の使用者に伝えるので、上記ファクシミリ装置の使用者により一般メールボックスにメッセージを入力するための操作が行われたかどうかを調べる。具体的には、プライベートキー２９と録音キー２４とがこの順に押下されたかどうかを調べる。もちろん、キー操作は必ずしもこの順である必要はなく、予め決められた所定順序であればよい。
【０１１６】
一般リトリーバルを要求するためのキー操作がなされていなければ（Ｓ８９：ＮＯ）、ＣＰＵ１が、一般リトリーバルを要求するためのＤＴＭＦ信号が検出されたか否かを判断する（Ｓ９０）。すなわち、発呼側端末の使用者が、一般メールボックスにメッセージを入れたい場合、そのための操作を上記ファクシミリ装置の使用者に依頼することなく、発呼側端末のダイヤルキーを押下すると、そのダイヤルキーに対応するＤＴＭＦ信号が電話回線２１を介して入力されるので、そのＤＴＭＦ信号が入力されたかどうかを調べるのである。このダイヤルキーは、伝言ボックスの番号を指定するためのダイヤルキーと区別できるように、予め決めておく必要がある。
【０１１７】
一般リトリーバルを要求するためのＤＴＭＦ信号が検出されていなければ（Ｓ９０：ＮＯ）、ＣＰＵ１が、オンフックされたか否かを判断する（Ｓ９１）。すなわち、使用者が親機のハンドセットをオンフックさせたか、あるいはスピーカホンキー４２を押下したか、あるいは子機１６の外線キー５２を押下したかどうかを調べる。
【０１１８】
オンフックされていれば（Ｓ９１：ＹＥＳ）、ＣＰＵ１が、ＮＣＵ２を制御して回線を切断させ（Ｓ９２）、このルーチンを終了する。
【０１１９】
Ｓ９１において、オンフックされていなければ（Ｓ９１：ＮＯ）、Ｓ８５に戻って通話を継続する。
【０１２０】
Ｓ９０において、一般リトリーバルを要求するためのＤＴＭＦ信号が検出されていれば（Ｓ９０：ＹＥＳ）、ＣＰＵ１が、一般ＩＣＭ再生を開始する（Ｓ９３）。具体的には、ＲＡＭ３の一般情報記憶領域内の音声データ記憶領域に格納されている音声データを読み出し、その音声データをコーデック８によりアナログの音声信号に変換させ、その音声信号をＮＣＵ２を介して電話回線２１に送出させる。そしてＣＰＵ１が、一般ＩＣＭ再生が終了したか否かを判断する（Ｓ９４）。
【０１２１】
一般ＩＣＭ再生が終了していれば（Ｓ９４：ＹＥＳ）、ＣＰＵ１が、ファクシミリメッセージの報知音を出力する（Ｓ９５）。具体的には、ＲＡＭ３の応答メッセージ記憶領域に格納されているファクシミリデータを送信する旨の報知メッセージに該当する音声データを読み出し、その音声データをコーデック８によりアナログの音声信号に変換させ、その音声信号をＮＣＵ２を介して電話回線２１に送出させる。これにより発呼側端末の使用者は、発呼側端末のスタートキーを押下するなどして、ファクシミリ受信を開始させる。
【０１２２】
そしてＣＰＵ１が、一般メールボックスのファクシミリ再生を行う（Ｓ９６）。具体的には、ＲＡＭ３の一般メールボックスに対応する一般情報記憶領域内のファクシミリデータ記憶領域に格納されているファクシミリデータを読み出してモデム４に変調させ、そのファクシミリ信号をＮＣＵ２を介して電話回線２１に送出させる。そしてＣＰＵ１が、一般メールボックスのファクシミリ再生が終了したか否かを判断する（Ｓ９７）。
【０１２３】
一般メールボックスのファクシミリ再生が終了していれば（Ｓ９７：ＹＥＳ）、Ｓ９２に進んで回線を切断し、このルーチンを終了する。
【０１２４】
Ｓ９７において、一般ファクシミリ再生が終了していなければ（Ｓ９７：ＮＯ）、Ｓ９６に戻って一般ファクシミリ再生を継続する。
【０１２５】
Ｓ９４において、一般ＩＣＭ再生が終了していなければ（Ｓ９４：ＮＯ）、Ｓ９３に戻って一般ＩＣＭ再生を継続する。
【０１２６】
Ｓ８９において、一般リトリーバルを要求するための操作がなされていれば（Ｓ８９：ＹＥＳ）、Ｓ９３に進んで一般ＩＣＭ再生以降の処理を実行する。
【０１２７】
Ｓ８８において、ボックス番号を指定するためのＤＴＭＦ信号が検出されれば（Ｓ８８：ＹＥＳ）、特定個人宛の伝言であるということなので、ＣＰＵ１が、伝言ボックス処理を行い（Ｓ９８）、このルーチンを終了する。この伝言ボックス処理は、図６に示す伝言ボックス処理と全く同じである。
【０１２８】
Ｓ８７において、伝言ボックスの番号を指定するためのキー操作がなされていれば（Ｓ８７：ＹＥＳ）、特定個人宛の伝言であるということなので、Ｓ９８に進んで伝言ボックス処理を実行する。
【０１２９】
Ｓ８６において、録音キー２４が押下されていれば（Ｓ８６：ＹＥＳ）、ＣＰＵ１が、一般会話録音を行う（Ｓ９９）。すなわち、電話回線２１を介して入力された発呼端末からの音声信号と、ハンドセットなどのマイクロホンからの音声信号とを、コーデック８によってディジタルの音声データに変換させ、その音声データをＲＡＭ３に格納する。この音声データは、メッセージではないので、個人情報記憶領域や一般情報記憶領域には格納されず、それ以外の所定の領域に格納される。そしてＣＰＵ１が、オンフックされたか否かを判断する（Ｓ１００）。すなわち、使用者により親機のハンドセットがオンフックされたか、或いはスピーカホンキー４２が押下されたか、あるいは子機１６の外線キー５２が押下されたかどうかを調べる。
【０１３０】
オンフックされていれば（Ｓ１００：ＹＥＳ）、Ｓ９２に進んで回線を切断し、このルーチンを終了する。
【０１３１】
Ｓ１００において、オンフックされていなければ（Ｓ１００：ＮＯ）、Ｓ９９に戻って一般会話録音を継続する。
【０１３２】
Ｓ８５において、スタートキーが押下されていれば（Ｓ８５：ＹＥＳ）、非特定個人宛のファクシミリを受信したということなので、ＣＰＵ１が、一般ファクシミリ受信を行う（Ｓ１０１）。具体的には、メモリ受信が設定されている場合、電話回線２１を介して受信したファクシミリデータをＲＡＭ３の一般情報記憶領域内のファクシミリデータ記憶領域に格納し、メモリ受信が設定されていない場合、電話回線２１を介して受信したファクシミリデータを記録部１２により記録用紙上に記録させる。そしてＣＰＵ１が、一般ファクシミリ受信が終了したか否かを判断する（Ｓ１０２）。
【０１３３】
一般ファクシミリ受信が終了していれば（Ｓ１０２：ＹＥＳ）、Ｓ９２に進んで回線を切断し、このルーチンを終了する。
【０１３４】
Ｓ１０２において、一般ファクシミリ受信が終了していなければ（Ｓ１０２：ＮＯ）、Ｓ１０１に戻って一般ファクシミリ受信を継続する。
【０１３５】
Ｓ８３において、オフフックしていなければ（Ｓ８３：ＮＯ）、Ｓ８２に戻って呼出ベル音の鳴動を継続する。
【０１３６】
Ｓ８１において、着呼していなければ（Ｓ８１：ＮＯ）、このルーチンを終了する。
【０１３７】
次に、手動受信モードにおいて子機１６を用いて通話した場合の子機１６の動作である子機側手動受信モードについて説明する。子機側手動受信モードにおいては、図９に示すように、先ず子機１６のＣＰＵが、ファクシミリ受信キー６０が押下されたか否かを判断する（Ｓ１１１）。すなわち、発呼側端末の使用者が、特定個人宛ではないファクシミリ送信を行いたい場合、その旨を通話中に子機１６の使用者に依頼すれば、子機１６の使用者がファクシミリ受信キー６０を押下するので、それを調べるのである。
【０１３８】
ファクシミリ受信キー６０が押下されていなければ（Ｓ１１１：ＮＯ）、子機１６のＣＰＵが、伝言ボックスの番号を指定するためのキー操作がなされたか否かを判断する（Ｓ１１２）。すなわち、発呼側端末の使用者が、特定個人宛のメッセージを伝言ボックスに入れたい場合、その旨を通話中に子機１６の使用者に依頼すれば、子機１６の使用者が伝言ボックスの番号を指定するためにダイヤルキー５１を押下するので、それを調べるのである。このダイヤルキー５１の操作は、発呼側端末においてＤＴＭＦ信号により伝言ボックスの番号を指定する場合と同様である。
【０１３９】
伝言ボックスの番号を指定するためのキー操作がなされていなければ（Ｓ１１２：ＮＯ）、子機１６のＣＰＵが、一般リトリーバルを要求するためのキー操作がなされたか否かを判断する（Ｓ１１３）。すなわち、発呼側端末の使用者が、一般メールボックスに格納されている非特定個人宛のメッセージを取り出したい場合、その旨を通話中に子機１６の使用者に依頼すれば、子機１６の使用者が所定のダイヤルキー５１を押下するので、それを調べるのである。このダイヤルキー５１の操作は、発呼側端末においてＤＴＭＦ信号により一般リトリーバルを要求する場合と同様である。
【０１４０】
一般リトリーバルを要求するためのキー操作がなされていなければ（Ｓ１１３：ＮＯ）、子機１６のＣＰＵが、切キー５３が押下されたか否かを判断する（Ｓ１１４）。すなわち、通話を終了したい場合、子機１６の使用者が切キー５３を押下するので、それを調べるのである。
【０１４１】
切キー５３が押下されていれば（Ｓ１１４：ＹＥＳ）、子機１６のＣＰＵ１が、切断指示コードを親機の通信部１５に送信させ（Ｓ１１５）、このルーチンを終了する。これにより親機は、回線を切断する。
【０１４２】
Ｓ１１４において、切キー５３が押下されていなければ（Ｓ１１４：ＮＯ）、Ｓ１１１に戻って上記の手順を繰り返す。
【０１４３】
Ｓ１１３において、一般リトリーバルを要求するためのキー操作がなされていれば（Ｓ１１３：ＹＥＳ）、子機１６のＣＰＵが、親機の通信部１５に一般リトリーバルを要求するためのＤＴＭＦ信号を送信し（Ｓ１１６）、このルーチンを終了する。これにより親機は、電話回線２１を介して一般リトリーバルを要求するためのＤＴＭＦ信号が入力された場合と同様の動作を行う。
【０１４４】
Ｓ１１２において、伝言ボックスの番号を指定するためのキー操作がなされていれば（Ｓ１１２：ＹＥＳ）、子機１６のＣＰＵが、親機の通信部１５に伝言ボックスの番号を指定するためのＤＴＭＦ信号を送信し（Ｓ１１７）、このルーチンを終了する。これにより親機は、電話回線２１を介して伝言ボックスの番号を指定するためのＤＴＭＦ信号が入力された場合と同様の動作を行う。
【０１４５】
Ｓ１１１において、ファクシミリ受信キー６０が押下されていれば（Ｓ１１１：ＹＥＳ）、子機１６のＣＰＵが、親機の通信部１５に一般ファクシミリ受信を指示するための指示コードを送信し（Ｓ１１８）、このルーチンを終了する。これにより親機は、一般ファクシミリ受信のための処理を行う。
【０１４６】
次に、子機１６による子機側手動受信モード中における親機の動作モードである回線モニタモードについて説明する。回線モニタモードにおいては、図１０R>０に示すように、先ずＣＰＵ１が、ファクシミリ受信指示コードを検出したか否かを判断する（Ｓ１２１）。すなわち、通信部１５により子機１６からのファクシミリ受信指示コードが受信されたかどうかを調べる。
【０１４７】
ファクシミリ受信指示コードを検出していなければ（Ｓ１２１：ＮＯ）、ＣＰＵ１が、伝言ボックスの番号を指定するためのＤＴＭＦ信号を検出したか否かを判断する（Ｓ１２２）。すなわち、通信部１５により子機１６からの伝言ボックスの番号を指定するためのＤＴＭＦ信号が受信されたか、あるいは電話回線２１を介して伝言ボックスの番号を指定するためのＤＴＭＦ信号が入力されたかどうかを調べる。
【０１４８】
伝言ボックスの番号を指定するためのＤＴＭＦ信号を検出していなければ（Ｓ１２２：ＮＯ）、ＣＰＵ１が、一般リトリーバルを要求するためのＤＴＭＦ信号を検出したか否かを判断する（Ｓ１２３）。すなわち、通信部１５により子機１６からの一般リトリーバルを要求するためのＤＴＭＦ信号が受信されたか、あるいは電話回線２１を介して一般リトリーバルを要求するためのＤＴＭＦ信号が入力されたかどうかを調べる。
【０１４９】
一般リトリーバルを要求するためのＤＴＭＦ信号を検出していなければ（Ｓ１２３：ＮＯ）、ＣＰＵ１が、通話が終了したか否かを判断する（Ｓ１２４）。すなわち、通信部１５により子機１６からの切断指示コードが受信されたかどうかを調べる。
【０１５０】
通話が終了していれば（Ｓ１２４：ＹＥＳ）、ＣＰＵ１が、ＮＣＵ２を制御して回線を切断させ（Ｓ１２５）、このルーチンを終了する。
【０１５１】
Ｓ１２４において、通話が終了していなければ（Ｓ１２４：ＮＯ）、Ｓ１２１に戻って上記の処理を繰り返す。
【０１５２】
Ｓ１２３において、一般リトリーバルを要求するためのＤＴＭＦ信号を検出していれば（Ｓ１２３：ＹＥＳ）、ＣＰＵ１が、一般ＩＣＭ再生を開始する（Ｓ１２６）。具体的には、ＲＡＭ３の一般情報記憶領域内の音声データ記憶領域に格納されている音声データを読み出し、その音声データをコーデック８によりアナログの音声信号に変換させ、その音声信号をＮＣＵ２を介して電話回線２１に送出させる。そしてＣＰＵ１が、一般ＩＣＭ再生が終了したか否かを判断する（Ｓ１２７）。
【０１５３】
一般ＩＣＭ再生が終了していれば（Ｓ１２７：ＹＥＳ）、ＣＰＵ１が、ファクシミリメッセージの報知音を出力する（Ｓ１２８）。具体的には、ＲＡＭ３の応答メッセージ記憶領域に格納されているファクシミリデータを送信する旨の報知メッセージに該当する音声データを読み出し、その音声データをコーデック８によりアナログの音声信号に変換させ、その音声信号をＮＣＵ２を介して電話回線２１に送出させる。これにより発呼側端末の使用者は、発呼側端末のスタートキーを押下するなどして、ファクシミリ受信を開始させる。
【０１５４】
そしてＣＰＵ１が、一般メールボックスのファクシミリ再生を行う（Ｓ１２９）。具体的には、ＲＡＭ３の一般メールボックスに対応する一般情報記憶領域内のファクシミリデータ記憶領域に格納されているファクシミリデータをモデム４に変調させ、そのファクシミリ信号をＮＣＵ２を介して電話回線２１に送出させる。そしてＣＰＵ１が、一般メールボックスのファクシミリ再生が終了したか否かを判断する（Ｓ１３０）。
【０１５５】
一般メールボックスのファクシミリ再生が終了していれば（Ｓ１３０：ＹＥＳ）、Ｓ１２５に進んで回線を切断し、このルーチンを終了する。
【０１５６】
Ｓ１３０において、一般ファクシミリ再生が終了していなければ（Ｓ１３０：ＮＯ）、Ｓ１２９に戻って一般ファクシミリ再生を継続する。
【０１５７】
Ｓ１２７において、一般ＩＣＭ再生が終了していなければ（Ｓ１２７：ＮＯ）、Ｓ１２６に戻って一般ＩＣＭ再生を継続する。
【０１５８】
Ｓ１２２において、伝言ボックスの番号を指定するためのＤＴＭＦ信号を検出していれば（Ｓ１２２：ＹＥＳ）、ＣＰＵ１が、伝言ボックス処理を実行し（Ｓ１３１）、このルーチンを終了する。この伝言ボックス処理は、図６に示す伝言ボックス処理と同じである。
【０１５９】
Ｓ１２１において、ファクシミリ受信指示コードを検出していれば（Ｓ１２１：ＹＥＳ）、ＣＰＵ１が、一般ファクシミリ受信を行う（Ｓ１３２）。具体的には、メモリ受信が設定されている場合、電話回線２１を介して受信したファクシミリデータをＲＡＭ３の一般情報記憶領域内のファクシミリデータ記憶領域に格納し、メモリ受信が設定されていない場合、電話回線２１を介して受信したファクシミリデータを記録部１２により記録用紙上に記録させる。そしてＣＰＵ１が、一般ファクシミリ受信が終了したか否かを判断する（Ｓ１３３）。
【０１６０】
一般ファクシミリ受信が終了していれば（Ｓ１３３：ＹＥＳ）、Ｓ１２５に進んで回線を切断し、このルーチンを終了する。
【０１６１】
Ｓ１３３において、一般ファクシミリ受信が終了していなければ（Ｓ１３３：ＮＯ）、Ｓ１３２に戻って一般ファクシミリ受信を継続する。
【０１６２】
次に、送信も受信もコピーもしていない時の親機の動作モードである待機モードおよび待機モードからのキー操作に基づく動作について説明する。待機モードにおいては、図１１に示すように、先ずＣＰＵ１が、ファンクションキー２８が押下されたか否かを判断する（Ｓ１４０）。すなわち、上記ファクシミリ装置のＲＡＭ３やＥＥＰＲＯＭ６に、伝言ボックス関係以外の各種の設定や登録を行う場合、使用者がファンクションキー２８を押下するので、それを調べるのである。
【０１６３】
ファンクションキー２８が押下されていなければ（Ｓ１４０：ＮＯ）、ＣＰＵ１が、ボックス指定キー２３が押下されたか否かを判断する（Ｓ１４１）。すなわち、ボックス指定キー２３は、伝言ボックスの番号を指定するために使用されるばかりでなく、いわゆるワンタッチダイヤルにも使用されるものであって、ワンタッチで発呼させたい場合、使用者が所望のボックス指定キー２３を押下するので、それを調べるのである。
【０１６４】
ボックス指定キー２３が押下されていなければ（Ｓ１４１：ＮＯ）、ＣＰＵ１が、プライベートキー２９が押下されたか否かを判断する（Ｓ１４２）。すなわち、伝言ボックスに関係する登録、電話帳表示、アクセスなどを行いたい場合、使用者が先ずプライベートキー２９を押下するので、それを調べるのである。
【０１６５】
プライベートキー２９が押下されていなければ（Ｓ１４２：ＮＯ）、このルーチンを終了する。すなわち、待機中においては、ファンクションキー２８、ボックス指定キー２３、あるいはプライベートキー２９が押下されるまでは、それらの押下が常に検出されている。
【０１６６】
Ｓ１４２において、プライベートキー２９が押下されていれば（Ｓ１４２：ＹＥＳ）、ＣＰＵ１が、ダイヤルキー２２が押下されたか否かを判断する（Ｓ１４３）。すなわち、伝言ボックスに対応する特定個人毎に分類されていない、電話帳の全体を検索したい場合、使用者がプライベートキー２９に続いてダイヤルキー２２を押下するので、それを調べるのである。なお、本明細書における電話帳とは、使用者の登録操作によりＥＥＰＲＯＭ６に記憶された電話番号の集合を表す概念であり、各電話番号と関連付けて、相手先名称や電話帳における位置を表す連続番号などがＥＥＰＲＯＭ６に記憶される。また、電話帳には、各電話番号に対応付けてグループ名を登録することができ、同一グループ名の付された電話番号のみを纏めたプライベート電話帳として利用できる。このグループ名は、伝言ボックスが割当てられている特定個人に対応しており、伝言ボックス毎に電話帳を作成したのと同様な効果が得られる。すなわち、プライベート電話帳を利用した場合、特定のグループに所属している電話番号だけが登録されている電話帳と同様に使用できる。
【０１６７】
Ｓ１４３において、ダイヤルキー２２が押下されていなければ（Ｓ１４３：ＮＯ）、ＣＰＵ１が、ファンクションキー２８が押下されたか否かを判断する（Ｓ１４４）。すなわち、伝言ボックスに関する各種の設定、登録を行う場合、使用者がプライベートキー２９に続いてファンクションキー２８を押下するので、それを調べるのである。
【０１６８】
Ｓ１４４において、ファンクションキー２８が押下されていなければ（Ｓ１４４：ＮＯ）、ＣＰＵ１が、ボックス指定キー２３が押下されたか否かを判断する（Ｓ１４５）。すなわち、プライベート電話帳を利用したい場合や伝言ボックスにアクセスしたい場合、使用者がプライベートキー２９に続いて所望のボックス指定キー２３を押下するので、それを調べるのである。
【０１６９】
Ｓ１４５において、ボックス指定キー２３が押下されていなければ（Ｓ１４５：ＮＯ）、このルーチンを終了する。すなわち、プライベートキー２９が押下された後、所定時間以内にボックス指定キー２３もファンクションキー２８もボックス指定キー２３も押下されなければ、実行すべき処理が特定できないので、ルーチンを終了するのである。
【０１７０】
Ｓ１４５において、ボックス指定キー２３が押下されていれば（Ｓ１４５：ＹＥＳ）、プライベート電話帳を利用したダイヤリングや伝言ボックスへのアクセスなどを行うプライベート処理を実行し（Ｓ１４６）、このルーチンを終了する。このプライベート処理については、後に詳述する。
【０１７１】
Ｓ１４４において、ファンクションキー２８が押下されていれば（Ｓ１４４：ＹＥＳ）、ＣＰＵ１が、ボックス指定キー２３が押下されたか否かを判断する（Ｓ１４７）。すなわち、プライベートキー２９、ファンクションキー２８、ボックス指定キー２３の順にキー操作がなされた場合、ボックス指定キー２３により指定された伝言ボックスに関する登録を行うということなので、それを調べるのである。
【０１７２】
ボックス指定キー２３が押下されていれば（Ｓ１４７：ＹＥＳ）、使用者による登録操作に基づいて各種の登録を行い（Ｓ１４８）、このルーチンを終了する。すなわち、使用者による各種のキー操作などに応じて、グループ名や応答メッセージなどをＲＡＭ３あるいはＥＥＰＲＯＭ６に記憶させる。
【０１７３】
Ｓ１４７において、ボックス指定キー２３が押下されていなければ（Ｓ１４７：ＮＯ）、このルーチンを終了する。すなわち、ファンクションキー２８が押下された後、所定時間内にボックス指定キー２３が押下されなければ、使用者が伝言ボックスに関する登録を希望しなくなったものと見做して、ルーチンを終了するのである。
【０１７４】
Ｓ１４３において、ダイヤルキー２２が押下されていれば（Ｓ１４３：ＹＥＳ）、ＣＰＵ１が、スタートキー３３が押下されたか否かを判断する（Ｓ１４９）。すなわち、プライベートキー２９およびダイヤルキー２２が押下された後にスタートキー３３が押下された場合、ダイヤルキー２２により指定された電話番号にダイヤリングするということなので、それを調べるのである。
【０１７５】
スタートキー３３が押下されていれば（Ｓ１４９：ＹＥＳ）、その電話番号にダイヤリングし（Ｓ１５０）、このルーチンを終了する。すなわち、使用者が電話帳における所望の２桁の連続番号をダイヤルキー２２を押下することにより入力すると、その連続番号に対応した相手先名称または電話番号がＬＣＤ４５の表示画面に表示されるので、それが所望の相手先であれば、スタートキー３３を押下する。これにより、ＬＣＤ４５の表示画面に表示されている相手先の電話番号が自動的に発呼されるのである。
【０１７６】
Ｓ１４９において、スタートキー３３が押下されていなければ（Ｓ１４９：ＮＯ）、このルーチンを終了する。すなわち、ダイヤルキー２２が押下された後、所定時間内にスタートキー３３が押下されなければ、使用者がプライベート電話帳の短縮ダイヤルを利用しての発呼を希望しなくなったものと見做して、ルーチンを終了するのである。
【０１７７】
Ｓ１４１において、ボックス指定キー２３が押下されていれば（Ｓ１４３：ＹＥＳ）、そのボックス指定キー２３に対応するワンタッチダイヤルの電話番号にダイヤリングしたいと使用者が望んでいるということなので、ＣＰＵ１が、オンフック状態であるか否かを判断する（Ｓ１５１）。
【０１７８】
オンフック状態であれば（Ｓ１５１：ＹＥＳ）、ＣＰＵ１が、スタートキー３３が押下されたか否かを判断する（Ｓ１５２）。すなわち、使用者がボックス指定キー２３を押下すると、そのボックス指定キー２３に対応するワンタッチダイヤルの相手先名称がＬＣＤ４５の表示画面に表示され、それが所望の相手先に間違いなければ、オンフック状態ではスタートキー３３を押下するので、それを調べるのである。
【０１７９】
スタートキー３３が押下されていれば（Ｓ１５２：ＹＥＳ）、ＣＰＵ１が、ボックス指定キー２３により指定された電話番号をダイヤリングさせ（Ｓ１５３）、このルーチンを終了する。
【０１８０】
Ｓ１５２において、スタートキー３３が押下されていなければ（Ｓ１５２：ＮＯ）、ダイヤリングせずに、このルーチンを終了する。すなわち、ボックス指定キー２３が押下された後、所定時間内にスタートキー３３が押下されなければ、使用者がワンタッチダイヤルによる発呼を希望しなくなったものと見做して、ルーチンを終了するのである。
【０１８１】
Ｓ１５１において、オンフック状態でなければ（Ｓ１５１：ＮＯ）、既に回線が閉結されているので、スタートキー３３が押下されるのを待つことなく、Ｓ１５３に進んでダイヤリングする。
【０１８２】
Ｓ１４０において、ファンクションキー２８が押下されていれば（Ｓ１４０：ＹＥＳ）、使用者が伝言ボックス関係以外の各種の設定や登録を望んでいるということなので、使用者による各種のキー操作に従って設定や登録を行い（Ｓ１５４）、このルーチンを終了する。
【０１８３】
次に、Ｓ１４６で実行されるプライベート処理の詳細について説明する。プライベート処理においては、図１２に示すように、先ずＣＰＵ１が、正しい暗証番号が入力されたか否かを判断する（Ｓ１６０）。具体的には、ボックス指定キー２３により指定された伝言ボックスに対応する暗証番号がダイヤルキー２２の押下により入力されたかどうかを調べる。すなわち、伝言ボックスの暗証番号を知らない者により不正にプライベート電話帳が使用されたり伝言ボックスにアクセスされたりするのを防止するために、暗証番号を確認しているのである。
【０１８４】
正しい暗証番号が入力されれば（Ｓ１６０：ＹＥＳ）、ＣＰＵ１が、消去キー２５が押下されたか否かを判断する（Ｓ１６１）。すなわち、伝言ボックスに格納されているメッセージを消去したい場合、使用者により消去キー２５が押下されるので、それを調べるのである。
【０１８５】
消去キー２５が押下されていなければ（Ｓ１６１：ＮＯ）、ＣＰＵ１が、再生キー２６が押下されたか否かを判断する（Ｓ１６２）。すなわち、伝言ボックスに格納されているメッセージを再生したい場合、使用者により再生キー２６が押下されるので、それを調べるのである。
【０１８６】
再生キー２６が押下されていなければ（Ｓ１６２：ＮＯ）、ＣＰＵ１が、録音キー２４が押下されたか否かを判断する（Ｓ１６３）。すなわち、伝言ボックスにメッセージを格納したい場合、使用者により録音キー２４が押下されるので、それを調べるのである。
【０１８７】
録音キー２４が押下されていなければ（Ｓ１６３：ＮＯ）、ＣＰＵ１が、ダイヤルキー２２が押下されたか否かを判断する（Ｓ１６４）。すなわち、プライベート電話帳を利用して短縮ダイヤルにより発呼したい場合、使用者によりダイヤルキー２２が押下されるので、それを調べるのである。
【０１８８】
ダイヤルキー２２が押下されていなければ（Ｓ１６４：ＮＯ）、ＣＰＵ１が、ボックス指定キー２３が押下されたか否かを判断する（Ｓ１６５）。すなわち、プライベート電話帳を検索して発呼したい場合、使用者によりボックス指定キー２３あるいは左右のスクロールキー３６，３８が押下されるので、それを調べるのである。
【０１８９】
ボックス指定キー２３が押下されていなければ（Ｓ１６５：ＮＯ）、ＣＰＵ１が、左右のスクロールキー３６，３８が押下されたか否かを判断する（Ｓ１６６）。すなわち、プライベート電話帳を検索して発呼したい場合、使用者によりボックス指定キー２３あるいは左右のスクロールキー３６，３８が押下されるので、それを調べるのである。
【０１９０】
左右のスクロールキー３６，３８が押下されていなければ（Ｓ１６６：ＮＯ）、このルーチンを終了する。すなわち、正しい暗証番号が入力された後、所定時間内にいずれのキー操作もなされなければ、使用者がプライベート電話帳の使用や伝言ボックスへのアクセスを希望しなくなったものと見做して、ルーチンを終了するのである。
【０１９１】
Ｓ１６６において、左スクロールキー３６あるいは右スクロールキー３８が押下されていれば（Ｓ１６６：ＹＥＳ）、ＣＰＵ１が、スタートキー３３が押下されたか否かを判断する（Ｓ１６７）。すなわち、使用者が左スクロールキー３６あるいは右スクロールキー３８を押下すると、ＬＣＤ４５の表示画面に表示されているプライベート電話帳の送信先名称が順次切り替わり、所望の送信先名称が表示された時点で使用者がスタートキー３３を押下するので、それを調べるのである。
【０１９２】
スタートキー３３が押下されていれば（Ｓ１６７：ＹＥＳ）、ＣＰＵ１が、ＬＣＤ４５の表示画面に表示されている送信先名称に対応する電話番号をダイヤリングして（Ｓ１６８）、このルーチンを終了する。
【０１９３】
Ｓ１６７において、スタートキー３３が押下されていなければ（Ｓ１６７：ＮＯ）、ダイヤリングせずに、このルーチンを終了する。すなわち、左スクロールキー３６あるいは右スクロールキー３８が押下された後、所定時間以内にスタートキー３３が押下されなければ、使用者がプライベート電話帳の検索による発呼を希望しなくなったものと見做して、ルーチンを終了するのである。
【０１９４】
Ｓ１６５において、ボックス指定キー２３が押下されていれば（Ｓ１６５：ＹＥＳ）、Ｓ１６７に進んで、スタートキー３３が押下されたか否かの判断以降の処理を行う。すなわち、使用者が所望のボックス指定キー２３を押下する毎に、ＬＣＤ４５の表示画面に表示されているプライベート電話帳の送信先名称が順次切り替わるので、左右のスクロールキー３６，３８が押下された場合と同様の処理を実行するのである。
【０１９５】
Ｓ１６４において、ダイヤルキー２２が押下されていれば（Ｓ１６４：ＹＥＳ）、ＣＰＵ１が、オンフック状態であるか否かを判断する（Ｓ１６９）。
【０１９６】
オンフック状態であれば（Ｓ１６９：ＹＥＳ）、Ｓ１６７に進み、オンフック状態でなければ（Ｓ１６９：ＮＯ）、スタートキー３３の押下操作は不要であるのでＳ１６８に進む。
【０１９７】
Ｓ１６３において、録音キー２４が押下されていれば（Ｓ１６３：ＹＥＳ）、ＣＰＵ１が、オンフック状態であるか否かを判断する（Ｓ１７０）。
【０１９８】
オンフック状態であれば（Ｓ１７０：ＹＥＳ）、伝言ボックスにボックスメモ録音し（Ｓ１７１）、オンフック状態でなければ（Ｓ１７０：ＮＯ）、伝言ボックスにボックス会話録音して（Ｓ１７２）、このルーチンを終了する。なお、ここでいうボックスメモ録音とは、ハンドセットとは別に設けられたマイクロホンに入力された使用者の声に応じた音声データを伝言ボックスに格納することであり、ボックス会話録音とは、電話回線２１を通じて入力された相手の声と使用者の声とに応じた音声データを伝言ボックスに格納することである。
【０１９９】
Ｓ１６２において、再生キー２６が押下されていれば（Ｓ１６２：ＹＥＳ）、ＣＰＵ１が、伝言ボックスに格納されている音声メッセージを再生させ（Ｓ１７３）、次いで伝言ボックスに格納されているファクシミリメッセージを再生させて（Ｓ１７４）、このルーチンを終了する。なお、音声メッセージの再生は、ハンドセットがオフフックされている場合にはハンドセットのスピーカを用いて行い、ハンドセットがオンフックされている場合にはハンドセットとは別に設けられたスピーカを用いて行う。また、ファクシミリメッセージの再生は、伝言ボックスに格納されているファクシミリデータに基づいて記録部１２により記録用紙上に画像を印字することにより行う。
【０２００】
Ｓ１６１において、消去キー２５が押下されていれば、（Ｓ１６１：ＹＥＳ）、ＣＰＵ１が、伝言ボックスに格納されているメッセージを消去して（Ｓ１７５）、このルーチンを終了する。
【０２０１】
Ｓ１６０において、正しい暗証番号が入力されていなければ（Ｓ１６０：ＮＯ）、このルーチンを終了する。
【０２０２】
なお、図１２に示す上記プライベート処理の手順において、単に伝言ボックスと記述されているのは、もちろん使用者によるボックス指定キー２３の押下により指定された伝言ボックスのことである。
【図面の簡単な説明】
【０２０３】
【図１】本発明に係る通信装置の一例としてのファクシミリ装置の回路ブロック図である。
【図２】図１に示すファクシミリ装置に備えられた操作パネルの平面図である。
【図３】図１に示すファクシミリ装置に備えられた子機の正面図である。
【図４】図１に示すファクシミリ装置に備えられたＲＡＭの記憶領域の概念説明図である。
【図５】図１に示すファクシミリ装置による留守番電話モードにおける着信処理の手順を説明するフローチャートである。
【図６】図５に示すフローチャートにおける伝言ボックス処理の手順の詳細を説明するフローチャートである。
【図７】図１に示すファクシミリ装置によるＦ／Ｔモードにおける着信処理の手順を説明するフローチャートである。
【図８】図１に示すファクシミリ装置による手動受信モードにおける着信処理の手順を説明するフローチャートである。
【図９】図１に示すファクシミリ装置による子機側手動受信モードにおける着信処理の手順を説明するフローチャートである。
【図１０】図１に示すファクシミリ装置による回線モニタモードにおける着信処理の手順を説明するフローチャートである。
【図１１】図１に示すファクシミリ装置による待機モードにおける各種処理の手順を説明するフローチャートである。
【図１２】図１１に示すフローチャートにおけるプライベート処理の手順の詳細を説明するフローチャートである。
【符号の説明】
【０２０４】
１  ＣＰＵ
２  ＮＣＵ
３  ＲＡＭ
４  モデム
５  ＲＯＭ
６  ＥＥＰＲＯＭ
７  ゲートアレイ
８  コーデック
９  ＤＭＡＣ
１１  読取部
１２  記録部
１３  操作部
１４  表示部
１５  通信部
１６  子機
２１  電話回線
２３  ボックス指定キー
【図１】
2006197644.tif 000003
【図２】
2006197644.tif 000004
【図３】
2006197644.tif 000005
【図４】
2006197644.tif 000006
【図５】
2006197644.tif 000007
【図６】
2006197644.tif 000008
【図７】
2006197644.tif 000009
【図８】
2006197644.tif 000010
【図９】
2006197644.tif 000011
【図１０】
2006197644.tif 000012
【図１１】
2006197644.tif 000013
【図１２】
2006197644.tif 000014